(57)【要約】【課題】温度センサの誤差を抑制可能な電池パックを提供する。【解決手段】電池パック１００は、複数の電池セル１２０、電池セル１２０の上面に接触し温度を検知する温度センサユニット１６０、電池セル１２０を収容する電池ケース１３０、および電池セル１２０からの電力を伝達するバスバ１４０を備える。電池ケース１３０は、電池セル１２０に接触するケース接触部１３５、および上下方向において温度センサユニット１６０の上方向を向く面と対向するケース対向部１３７を有する。電池ケース１３０は、ケース接触部１３５からケース対向部１３７へ伝熱する。バスバ１４０は、電池セル１２０に接触するバスバ接触部１４３、および上下方向において温度センサユニット１６０の上方向を向く面と対向するバスバ対向部１４５を有する。バスバ１４０は、バスバ接触部１４３からバスバ対向部１４５へ伝熱する。【選択図】図３
2020026997.tif 000002
【特許請求の範囲】
【請求項１】
電力を出力する電極端子（１２１）を有する複数の電池セル（１２０）と、
前記電池セルの測温対象面に接触するセンサ接触部（１６２）と、素子温度に応じた検知信号を出力する温度検知素子（１６３）と、を有し、前記素子温度を前記測温対象面の温度として検知する温度センサユニット（１６０）と、
前記電池セルに接触する伝熱接触部（１３５、１４３、１５１）と、前記測温対象面に垂直な方向において、前記温度センサユニットのうち前記電池セルと反対側の表面と対向する対向部（１３７、１４５、１５２）と、を有し、前記伝熱接触部から前記対向部へ伝熱する伝熱部材（１３０、１４０、１５０）と、を備える電池パック。
【請求項２】
前記伝熱部材として、前記電極端子と電気的に接続され、前記電極端子からの電力を伝達するバスバを備える請求項１に記載の電池パック。
【請求項３】
前記伝熱部材として、前記電池セルを収容する電池ケースを備える請求項１または２に記載の電池パック。
【請求項４】
前記伝熱部材として、前記電極端子と電気的に接続され、前記電極端子の電圧を検知するための電圧検知部材を備える請求項１〜３のいずれか１項に記載の電池パック。
【請求項５】
前記伝熱部材は、前記電池セルの積層方向と直交する方向である幅方向の投影視において前記温度センサユニットと重なる立設部（１３６、１４４）を有する請求項１〜４のいずれか１項に記載の電池パック。
【発明の詳細な説明】
【技術分野】
【０００１】
本開示は、複数の電池セルと、電池セルの温度を検知する温度センサとを備えた電池パックに関する。
【背景技術】
【０００２】
特許文献１には、ハイブリッド車両などにおいて、電池セルの温度検知に用いられる温度センサが開示されている。温度センサは、センサ本体と、アーム状弾性部材とを備える。センサ本体は、電池セルの表面に当接される。アーム状弾性部材は、弾性復元力によりセンサ本体を電池セルの表面に密着させる。
【先行技術文献】
【特許文献】
【０００３】
【特許文献１】特開２０１２−１６４９０１号公報
【発明の概要】
【発明が解決しようとする課題】
【０００４】
温度センサと電池セルの測温対象面との密着により温度センサと電池セルの温度差が縮小されると、温度センサで検知される電池セルの温度の誤差が抑制される。
【０００５】
一方、温度センサのうち、電池セルと反対側の表面は、雰囲気中に露出した状態となる。雰囲気と、電池セルおよび温度センサとの間には温度差が生じうる。こうした温度差により、温度センサの反対側の表面と、雰囲気との間の伝熱が促進された場合、温度センサと電池セルとの温度差が拡大する。従って、温度センサで測温対象面の温度として検知される温度に誤差が生じるおそれがあった。
【０００６】
本開示は、温度センサで検知される温度の誤差を抑制可能な電池パックの提供を目的とする。
【課題を解決するための手段】
【０００７】
上記目的は独立請求項に記載の特徴の組み合わせにより達成され、また、下位請求項は、本開示の更なる有利な具体例を規定する。特許請求の範囲に記載した括弧内の符号は、一つの態様として後述する実施形態に記載の具体的手段との対応関係を示すものであって、本開示の技術的範囲を限定するものではない。
【０００８】
上記目的を達成するための本開示の電池パックは、電力を出力する電極端子（１２１）を有する複数の電池セル（１２０）と、電池セルの測温対象面に接触するセンサ接触部（１６２）と、素子温度に応じた検知信号を出力する温度検知素子（１６３）と、を有し、素子温度を測温対象面の温度として検知する温度センサユニット（１６０）と、電池セルに接触する伝熱接触部（１３５、１４３、１５１）と、測温対象面に垂直な方向において、温度センサユニットの電池セルと反対側の表面と対向する対向部（１３７、１４５、１５２）と、を有し、伝熱接触部から対向部へ伝熱する伝熱部材（１３０、１４０、１５０）と、を備える。
【０００９】
以上の構成によれば、伝熱部材は、電池セルの測温対象面に接触する伝熱接触部と、測温対象面に垂直な方向において、センサユニットの電池セルと反対側の表面と対向する対向部と有し、伝熱接触部から対向部へ伝熱する。この結果、伝熱部材は、センサユニットを挟んで電池セルと反対側の位置における雰囲気と、電池セルとの温度差を縮小しうる。故に、センサユニットのうち電池セルと反対側の表面と、雰囲気との間の伝熱が抑制される。従って電池パックは、温度センサユニットで検知される温度の誤差を抑制可能である。
【図面の簡単な説明】
【００１０】
【図１】電池パックの分解図である。
【図２】電池セルの上面に載置された温度センサユニット１６０を示す図である。
【図３】温度センサユニット周辺の構成を示す図である。
【図４】中央の電池セルに設けられた温度センサユニットを示す図である。
【図５】両端の電池セルに設けられた温度センサユニットを示す図である。
【図６】変形例１の電圧検知部材の構成を示す図である。
【発明を実施するための形態】
【００１１】
図１に示す本開示の実施形態による電池パック１００は、例えばハイブリッド自動車などで、負荷に対する電力供給のために用いられる。負荷には、例えば走行駆動源および発電装置として機能するモータジェネレータなどが含まれる。電池パック１００には、モータジェネレータの発電により生じた電力が充電される。電池パック１００は、充電された電力を放電し、モータジェネレータを含む負荷に供給する。電池パック１００は、電池セル１２０、電池ケース１３０、バスバ１４０、電圧検知部材１５０、温度センサユニット１６０、制御ユニット１７０、およびカバー１８０を備えている。
【００１２】
電池セル１２０は、リチウムイオン二次電池などの二次電池である。電池セル１２０は、矩形板状の筐体に電解質や電極を収容して構成されている。電池セル１２０には、充放電に伴う電極周辺における熱の発生や、排気管など電池パック１００外部からの熱の伝達などにより温度の変化が生じる。電池パック１００には、電池セル１２０が複数配置されている。本実施形態では、十五個の電池セル１２０が配置されている。複数の電池セル１２０は、厚さ方向に沿って積層された配置である。積層された複数の電池セル１２０は、全体として積層方向に沿って延伸する矩形柱状を呈している。積層方向は、車両に搭載された状態において、例えば車両の前後方向に沿っている。また各電池セル１２０の四つの外周面は、例えば上下方向または車幅方向を向く姿勢となる。各電池セル１２０には、電極端子１２１が設けられている。
【００１３】
電極端子１２１は、電池セル１２０に収容された電極と接続された端子である。電極端子１２１は電池セル１２０に充電された電力を出力する。電極端子１２１は、電池セル１２０の外周面のうちの一面に設けられている。これ以降、電極端子１２１の設けられている面の向く方向を上方向と呼び、その反対方向を下方向と呼ぶ。また、電極端子１２１の設けられている面に沿った方向であって、積層方向と直交する方向を幅方向と呼ぶ。積層方向、上下方向、および幅方向は互いに直交している。
【００１４】
電極端子１２１は、上面において、正極端子と負極端子とが幅方向において離間する配置で設けられている。具体的には、上面のうち幅方向における一端に正極端子が設けられ、他端に負極端子が設けられている。各電池セル１２０は、正極端子および負極端子の配列が隣接する電池セル１２０と逆となるように配置されている。すなわち、積層方向において正極および負極が交互に並ぶ配置となっている。
【００１５】
電池ケース１３０は、樹脂材料により中空の略直方体形状に形成され、内側に複数の電池セル１２０を収容している。なお、電池ケース１３０は、アルミナなどによるフィラーの添加によって熱伝導性を向上させた樹脂材料を用いて形成されていてもよい。電池ケース１３０は、下ケース１３１および上ケース１３３を含んでいる。
【００１６】
下ケース１３１は、断面矩形の有底筒状に形成されている。下ケース１３１は、上方向に開口する姿勢で、積層された電池セル１２０を内側に収容している。下ケース１３１は、各電池セル１２０を互いの位置関係を維持しつつ支持している。下ケース１３１の幅方向を向く二つの側面には、通風口１３２が形成されている。
【００１７】
通風口１３２は、上下方向に沿って延伸するスリット状に形成されている。通風口１３２は、幅方向を向く二つの側面のうち、電池セル１２０の間の隙間に対応する各位置に設けられている。一方の側面の通風口１３２には、送風ファンなどにより幅方向に沿って流れる空気が供給される。通風口１３２を通じて流入した空気は、積層された電池セル１２０の間の隙間を幅方向に沿って通り抜け、他方の側面の通風口１３２から流出する。すなわち、通風口１３２は、電池セル１２０の間の隙間と合わせて幅方向に延伸する空気の流通路を提供している。通風口１３２を通じて提供される幅方向の空気の流れにより、電池セル１２０が冷却される。
【００１８】
上ケース１３３は、平板状に形成されている。上ケース１３３は、下ケース１３１の上方向を向く開口を塞ぐ姿勢で配置されている。上ケース１３３は、各電極端子１２１に対応する複数の電極孔１３４が設けられている。各電極孔１３４は、各電極端子１２１を電池ケース１３０から露出させている。
【００１９】
バスバ１４０は、アルミニウムや銅などの金属材料により形成されている。バスバ１４０は、電極端子１２１に接続され、電極端子１２１からの電力を伝達する。バスバ１４０は、連結バスバ１４１および給電バスバ１４２を含んでいる。
【００２０】
連結バスバ１４１は、帯板状に形成され、各電池セル１２０の電極端子１２１を、隣接する電池セル１２０の電極端子１２１と接続している。電極端子１２１のうち、正極が隣接する二つの電池セル１２０の一方に接続され、負極が隣接する電池セル１２０の他方に接続されている。各連結バスバ１４１は、複数の電池セル１２０を直列接続された状態となるように連結している。
【００２１】
給電バスバ１４２は、帯板状に形成されている。給電バスバ１４２は、複数の電池セル１２０のうち、積層方向の両端に位置する電池セル１２０の各々に取り付けられている。各給電バスバ１４２の一端は、電極端子１２１に接続されている。各給電バスバ１４２は、電極端子１２１から、電池セル１２０の上面のうち幅方向の中央に向けて延伸している。各給電バスバ１４２の他端は、電池ケース１３０の積層方向を向く面のうち、幅方向の中央付近から外部に露出している。給電バスバ１４２の他端は、ワイヤハーネスや電力変換装置などを介して負荷と接続され、直列に接続された電池セル１２０全体からの電力を負荷に供給する。
【００２２】
電圧検知部材１５０は、金属材料により形成されている。電圧検知部材１５０は、各バスバ１４０と制御ユニット１７０とを電気的に接続している。電圧検知部材１５０により、各バスバ１４０における電位が制御ユニット１７０に入力される。各バスバ１４０における電位の差に基づき、各電池セル１２０において電極端子１２１間に出力されている電圧が検知される。
【００２３】
温度センサユニット１６０は、電池セル１２０の温度を検知するためのセンサユニットである。温度センサユニット１６０は、電池セル１２０のうち、「測温対象面」に相当する上面に接触する配置で設けられ、上面の温度を検知する。従って、上下方向が測温対象面に垂直な方向に相当する。温度センサユニット１６０は、上面のうち電極端子１２１に近接した位置に設けられている。温度センサユニット１６０は、電極端子１２１に対して幅方向において中央側に設けられている。電池パック１００には、複数の温度センサユニット１６０が設けられている。具体的には、温度センサユニット１６０は、積層方向における両端および中央の三か所に位置する電池セル１２０にそれぞれ一つ設けられている。温度センサユニット１６０の詳細な構成は後述する。
【００２４】
制御ユニット１７０は、例えばプロセッサやメモリなどを有するコンピュータを主体として構成された電子制御装置である。制御ユニット１７０は、上下方向を向く矩形板状を呈している。制御ユニット１７０は、電池セル１２０の状態を監視し、電池セル１２０への充電および電池セル１２０からの電力供給を制御する。具体的には、制御ユニット１７０は、温度センサユニット１６０で検知された温度や、電圧検知部材１５０からの各バスバ１４０の電位が入力される。制御ユニット１７０は、入力に基づいて、各電池セル１２０の充電状態の監視や、電池セル１２０の入出力制御を実施する。
【００２５】
カバー１８０は、樹脂材料などにより板状に形成され、制御ユニット１７０およびバスバ１４０を上方向から覆っている。
【００２６】
温度センサユニット１６０およびその周辺の詳細な構成を図２〜図５に沿って説明する。温度センサユニット１６０は、図２および図３に示すように、本体部１６１、センサ接触部１６２、温度検知素子１６３、付勢部材１６６を有している。また上ケース１３３は、三つの温度センサユニット１６０のそれぞれに対応して、図３に示すようにケース接触部１３５、ケース立設部１３６、およびケース対向部１３７を有している。給電バスバ１４２は、両端の電池セル１２０に設けられた二つの温度センサユニットのそれぞれに対応して、バスバ接触部１４３、バスバ立設部１４４、およびバスバ対向部１４５を有している。
【００２７】
本体部１６１は、図２および図３に示すように樹脂材料などにより直方体状に形成されている。本体部１６１は、各面を上下方向、幅方向、および積層方向に向ける姿勢である。本体部１６１は、センサ接触部１６２および温度検知素子１６３が埋設されている。
【００２８】
センサ接触部１６２は、アルミニウムなどの金属材料により板状に形成されている。センサ接触部１６２の一面は、本体部１６１の下方向を向く面に露出している。センサ接触部１６２の下方向を向く面は、測温対象面である電池セル１２０の上面に接触している。
【００２９】
温度検知素子１６３は、例えばサーミスタである。温度検知素子１６３は、センサ接触部１６２の他面に接触し、センサ接触部１６２を介して電池セル１２０から伝熱される。温度検知素子１６３は、自身の素子温度に応じた電圧を検知信号として出力する。温度検知素子１６３で検知される素子温度が、電池セル１２０の上面の温度として検知される。
【００３０】
素子配線１６４は、温度検知素子１６３を制御ユニット１７０と電気的に接続する。素子配線１６４は、本体部１６１から電池セル１２０の上面に沿った方向に引き出されている。具体的には、素子配線１６４は、積層方向に沿って引き出されている。素子配線１６４は、温度検知素子１６３からの検知信号を、温度センサユニット１６０の設けられた電池セル１２０の温度を示す信号として制御ユニット１７０に送信する。
【００３１】
延設部１６５は、本体部１６１の幅方向を向く面に設けられた板状の突出部である。延設部１６５は、一面を上方向に向ける姿勢で設けられている。
【００３２】
付勢部材１６６は、金属材料などにより構成された帯板材を屈曲させた板バネである。付勢部材１６６は、延設部１６５の上面に接触する配置で温度センサユニット１６０に取り付けられている。付勢部材１６６は、上下方向に沿って圧縮された状態である。付勢部材１６６は、延設部１６５に下方向の付勢力を作用させることにより、温度センサユニット１６０を電池セル１２０に密着させている。
【００３３】
ケース接触部１３５は、上ケース１３３のうち、温度センサユニット１６０を囲う配置の枠状の部分である。ケース接触部１３５は、電池セル１２０の上面のうち、温度センサユニット１６０の接触している位置を囲う領域に接触している。ケース接触部１３５は、電池セル１２０の上面のうち、センサ接触部１６２の接触する位置から離間した位置に接触している。
【００３４】
ケース立設部１３６は、図３および図４に示すように、上ケース１３３のうち、ケース接触部１３５から上方向に突出している部分である。ケース立設部１３６は、両面を幅方向に向ける板状を呈している。ケース立設部１３６は、幅方向の投影視において温度センサユニット１６０と重なる配置である。ケース立設部１３６は、幅方向において温度センサユニット１６０を挟む二か所に設けられている。各ケース立設部１３６は、幅方向において温度センサユニット１６０と離間した位置に設けられている。
【００３５】
ケース対向部１３７は、上ケース１３３のうち、ケース立設部１３６から幅方向に突出している。ケース対向部１３７は、各ケース立設部１３６から、幅方向において温度センサユニット１６０側に突出している。ケース対向部１３７は、温度センサユニット１６０よりも上方向に位置している。
【００３６】
ケース対向部１３７は、上下方向において、温度センサユニット１６０の電池セル１２０と反対側の表面、すなわち上方向を向く表面の一部と対向している。具体的には、ケース対向部１３７は、上下方向の投影視において、本体部１６１および延設部１６５と重なりを生じる配置である。ケース対向部１３７は、本体部１６１のうち幅方向において両端付近と、上下方向の投影視において重なりを生じている。ケース対向部１３７は、本体部１６１のうち幅方向において中央付近と、上下方向の投影視において重ならない配置である。ケース対向部１３７には、ケース接触部１３５からケース立設部１３６を介して電池セル１２０で発生した熱が伝熱される。ケース対向部１３７は、電池セル１２０からの熱を、温度センサユニット１６０の上方向を向く表面と、ケース対向部１３７との間の雰囲気に伝熱する。
【００３７】
ケース対向部１３７の下方向を向く面には、付勢部材１６６が接触している。ケース対向部１３７は、付勢部材１６６を上下方向に沿って圧縮することにより、温度センサユニット１６０を電池セル１２０に固定している。
【００３８】
バスバ接触部１４３は、図３および図５に示すように、給電バスバ１４２の一部である。バスバ接触部１４３は、電池セル１２０の上面のうち、電極端子１２１と接触している。バスバ接触部１４３は、電池セル１２０で発生した熱を、電極端子１２１との接触により伝熱される。
【００３９】
バスバ立設部１４４は、給電バスバ１４２のうち、バスバ接触部１４３から上方向に延伸している部分である。バスバ立設部１４４は、バスバ接触部１４３のうち、幅方向において温度センサユニット１６０側の端から延伸している。バスバ立設部１４４は、両面を幅方向に向ける姿勢である。バスバ立設部１４４は、幅方向に見て温度センサユニット１６０と重なる配置である。バスバ立設部１４４は、幅方向においてケース立設部１３６よりも温度センサユニット１６０から離間した位置に設けられている。バスバ立設部１４４は、温度センサユニット１６０、およびケース立設部１３６よりも上方向まで延伸している。
【００４０】
バスバ対向部１４５は、給電バスバ１４２のうち、バスバ立設部１４４から幅方向に沿って延伸している部分である。バスバ対向部１４５は、温度センサユニット１６０よりも上方向に位置している。バスバ対向部１４５は、上下方向において、温度センサユニット１６０の電池セル１２０と反対側の表面、すなわち上方向を向く面の一部と対向している。すなわち、バスバ対向部１４５は、上下方向の投影視において、本体部１６１および延設部１６５と重なりを生じる配置である。
【００４１】
バスバ対向部１４５は、温度センサユニット１６０およびケース対向部１３７から上方向に離間した位置に設けられている。バスバ対向部１４５は、幅方向において温度センサユニット１６０よりも電極端子１２１側から、電極端子１２１の反対側まで跨って設けられている。すなわち、バスバ対向部１４５は、上面に沿った方向において、温度センサユニット１６０を跨ぐ配置で設けられている。こうしたバスバ対向部１４５により、温度センサユニット１６０から上方向に向かう自然対流の発生が抑制され、温度センサユニット１６０と周辺の雰囲気との温度差が抑制される。
【００４２】
バスバ対向部１４５は、上下方向の投影視において本体部１６１と重なりを生じる配置である。バスバ対向部１４５には、バスバ接触部１４３からバスバ立設部１４４を介して電池セル１２０で発生した熱が伝熱される。バスバ対向部１４５は、電池セル１２０からの熱を、バスバ対向部１４５と温度センサユニット１６０との間の雰囲気に伝熱する。
【００４３】
［実施形態のまとめ］
以上、説明した実施形態によれば、給電バスバ１４２は、電池セル１２０に接触するバスバ接触部１４３と、上下方向において温度センサユニット１６０の電池セル１２０と反対側の表面と対向するバスバ対向部１４５とを有する。給電バスバ１４２は、バスバ接触部１４３からバスバ対向部１４５へ伝熱する。この結果、給電バスバ１４２は、温度センサユニット１６０の電池セル１２０と反対側における雰囲気と、電池セル１２０との温度差を縮小しうる。故に、温度センサユニット１６０のうち電池セル１２０と反対側の表面と、雰囲気との間の伝熱が抑制される。従って電池パックは、温度センサユニット１６０で検出される温度の誤差を抑制可能である。
【００４４】
本実施形態では、電池セル１２０からの電力を伝達するバスバ１４０のうち、給電バスバ１４２により雰囲気と電池セル１２０との温度差が縮小される。こうした給電バスバ１４２を伝熱部材として用いる構成によれば、電池パック１００は、構成の複雑化を抑制して温度センサの誤差を抑制しうる。また給電バスバ１４２は、金属材料により形成されていることにより、バスバ接触部１４３からバスバ対向部１４５へ伝熱しやすい。従って電池パック１００は、温度センサユニット１６０で検出される温度の誤差をより抑制しうる。
【００４５】
また本実施形態によれば、上ケース１３３は、電池セル１２０に接触するケース接触部１３５と、上下方向において温度センサユニット１６０の電池セル１２０と反対側の表面と対向する対向部と有し、ケース接触部１３５から対向部へ伝熱する。この結果、上ケース１３３は、温度センサユニット１６０を挟んで電池セル１２０と反対側の位置における雰囲気と、電池セル１２０との温度差を縮小しうる。故に、温度センサユニット１６０のうち電池セル１２０と反対側の表面と、雰囲気との間の伝熱が抑制される。従って電池パックは、温度センサユニット１６０で検出される温度の誤差を抑制可能である。
【００４６】
本実施形態では、電池セル１２０を収容する電池ケース１３０の一部である上ケース１３３により、雰囲気と電池セル１２０との温度差が縮小される。こうした上ケース１３３を用いて温度差を縮小する構成によれば、電池パック１００は、構成の複雑化を抑制して温度センサユニット１６０で検出される温度の誤差を抑制しうる。
【００４７】
さらに本実施形態では、バスバ立設部１４４およびケース立設部１３６は、幅方向の投影視において温度センサユニット１６０と重なる配置で設けられている。この結果、電池セル１２０を冷却するための幅方向に沿った空気の流れが電池セル１２０の上面に沿って流れている場合であっても、バスバ立設部１４４およびケース立設部１３６により、温度センサユニット１６０の周辺には流れにくい。故に、温度センサユニット１６０と、周辺の雰囲気との間に温度差が生じにくい。従って電池パック１００は、温度センサユニット１６０で検出される温度の誤差をより抑制しうる。
【００４８】
本実施形態では、バスバ１４０および電池ケース１３０が「伝熱部材」に相当する。また、バスバ接触部１４３およびケース接触部１３５が「伝熱接触部」に相当し、バスバ対向部１４５およびケース対向部１３７が「対向部」に相当する。バスバ立設部１４４およびケース立設部１３６が「立設部」に相当する。
【００４９】
＜他の実施形態＞
以上、本開示の実施形態を説明したが、本開示は上述の実施形態に限定されるものではなく、次の変形例も本開示の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５０】
＜変形例１＞
上述の実施形態に係る変形例１においては、「伝熱部材」に相当する部材として電圧検知部材１５０を用いている。変形例１における電圧検知部材１５０は、図６に示すように検知接続部１５１と、検知対向部１５２とを有している。検知接続部１５１は、電圧検知部材１５０のうち、連結バスバ１４１を介して電池セル１２０に接触した「伝熱接続部」に相当する部分である。検知対向部１５２は、電圧検知部材１５０のうち、上下方向において温度センサユニット１６０の電池セル１２０と反対側の表面と対向する「伝熱対向部」に相当する部分である。
【００５１】
こうした電圧検知部材１５０を伝熱部材として用いる構成によれば、電池パック１００は、構成の複雑化を抑制して温度センサユニット１６０の誤差を抑制しうる。
【００５２】
上述の実施形態においては、バスバ１４０のうち給電バスバ１４２を「伝熱部材」として用いていた。しかし、連結バスバ１４１を「伝熱部材」として用いてもよい。
【００５３】
上述の実施形態においては、電池パック１００は制御ユニット１７０を備えていた。しかし、制御ユニット１７０としての機能は、電池パック１００の外部に設けられた制御装置で実現されていてもよい。
【００５４】
上述の実施形態においては、温度センサユニット１６０は付勢部材１６６により電池セル１２０に固定されていた。しかし、接着などその他の方法により固定されていてもよい。
【００５５】
上述の実施形態においては、ケース立設部１３６およびバスバ立設部１４４は、幅方向の投影視において温度センサユニット１６０と重なる配置であった。しかし、ケース立設部１３６およびバスバ立設部１４４は、幅方向の投影視において温度センサユニットと重ならない位置に設けられていてもよい。
【００５６】
上述の実施形態においては、電極端子１２１および温度センサユニット１６０は、車両に搭載された状態において上面となる面に設けられていた。しかし、側面となる面や下面となる面などに設けられていてもよい。すなわち、測温対象面は上面に限られない。また温度センサユニット１６０は、電池セル１２０の上面のうち、電極端子１２１に近接した位置に設けられていた。しかし、電極端子１２１と離間していてもよいし、電極端子１２１とは異なる面に設けられていてもよい。
【００５７】
上述の実施形態においては、各温度センサユニット１６０に対して、電池セル１２０と反対側の面と対向する位置にケース対向部１３７が設けられていた。しかし、反対側の面と対向する位置にバスバ対向部１４５のみ設けられており、ケース対向部１３７が設けられていない温度センサユニット１６０があってもよい。
【００５８】
上述の実施形態においては、ケース対向部１３７およびバスバ対向部１４５の対抗する温度センサユニット１６０の電池セル１２０と反対側の表面は、上方向を向いていた。しかし、反対側の表面は、上方向に対して傾斜した方向を向いていてもよい。
【符号の説明】
【００５９】
１００  電池パック、  １２０  電池セル、  １２１  電極端子、  １３０  電池ケース（伝熱部材）、  １３５  ケース接触部（伝熱接触部）、  １３６  ケース立設部（立設部）、  １３７  ケース対向部（対向部）、  １４０  バスバ（伝熱部材）、  １４３  バスバ接触部（伝熱接触部）、  １４４  バスバ立設部（立設部）、  １４５  バスバ対向部（対向部）、  １５０  電圧検知部材（伝熱部材）、  １５１  検知接触部（伝熱接触部）、  １５２  検知対向部（対向部）、  １６０  温度センサユニット、  １６２  センサ接触部、  １６３  温度検知素子
【図１】
2020026997.tif 000003
【図２】
2020026997.tif 000004
【図３】
2020026997.tif 000005
【図４】
2020026997.tif 000006
【図５】
2020026997.tif 000007
【図６】
2020026997.tif 000008